(57)【要約】【課題】下面にミラー印刷を施した操作釦の照光効果を高める。【解決手段】電子機器は、キャビネット1内に透明又は半透明な操作釦3と、該操作釦3の側方に配備されたランプ5を有する。キャビネット1の裏側で、操作釦3の近傍には、ランプ5からの光が操作釦3の側面に到達することを許す凹部4が形成されている。【選択図】図４
2005259369.tif 000002
【特許請求の範囲】
【請求項１】
キャビネット(１)内に透明又は半透明な操作釦(３)と、該操作釦(３)の側方に配備されたランプ(５)を有する電子機器に於いて、
キャビネット(１)の裏側で、操作釦(３)の近傍には、ランプ(５)からの光が操作釦(３)の側面に到達することを許す凹部(４)が形成されたことを特徴とする電子機器。
【請求項２】
操作釦(３)の下面裏側には、ミラー印刷(８)が施された請求項１に記載の電子機器。
【発明の詳細な説明】
【技術分野】
【０００１】
本発明は、光に照らされる釦を具えた電子機器、特に携帯電話機に関する。
【背景技術】
【０００２】
図５は、斯種携帯電話機の一般的な構造を示す断面図である(例えば、特許文献１参照)。
キャビネット(１)内には、回路基板(７)が設けられ、該回路基板(７)上にＬＥＤであるランプ(５)と、該ランプ(５)の側方に位置する操作スイッチ(SW)が設けられている。該操作スイッチ(SW)には、透明又は半透明で、弾性変形可能な操作釦(３)が被さる。該操作釦(３)の先端部は、キャビネット(１)の上面に開設された開口(12)を通って、キャビネット(１)の外側に突出する。使用者が操作釦(３)を弾性に抗して押し込むと、操作釦(３)は操作スイッチ(SW)を押す。使用者が、操作釦(３)から指を話すと、操作釦(３)は元の位置に復帰する。
ランプ(５)の光は、操作釦(３)を照らし、使用者にとって操作釦(３)の位置が判りやすい。
【０００３】
【特許文献１】特開平１１−３２９１４９号公報
【発明の開示】
【発明が解決しようとする課題】
【０００４】
操作釦(３)には、文字等が印刷されることがあるが、かかる文字等を上から見やすくする為に、操作釦(３)の下面裏側にミラー印刷(８)が施されることがある。
これは、図６に示すように、操作釦(３)の下面に銀色インク層(80)を形成し、該銀色インク層(80)に重ねて、黒色インク層(81)を形成する。両インク層(80)(81)の下方からレーザー鋼線を当て、表示すべき文字等を打ち抜く。これにより、文字等の見映えが良くなる。
しかし、かかるミラー印刷(８)を操作釦(３)の下面に施すと、操作釦(３)の下方から操作釦(３)に進入する光は、操作釦(３)を通過しない又は通過しにくい。従って、操作釦(３)を照らす効果が十分でない問題がある。
本発明の目的は、下面にミラー印刷を施した操作釦の照光効果を高めることにある。
【課題を解決するための手段】
【０００５】
キャビネット(１)内に透明又は半透明な操作釦(３)と、該操作釦(３)の側方に配備されたランプ(５)を有する電子機器に於いて、
キャビネット(１)の裏側で、操作釦(３)の近傍には、ランプ(５)からの光が操作釦(３)の側面に到達することを許す凹部(４)が形成されている。
【発明の効果】
【０００６】
ランプ(５)からの光は、キャビネット(１)の裏側に形成された凹部(４)を通って、操作釦(３)の側面に達する。これにより、操作釦(３)の下面にミラー印刷が施されて、操作釦(３)の下面が透光しにくくとも、照光効果を高めることができる。また、照光効果を高めることができるから、ランプ(５)の数を少なくしてコストダウンが図れ、且つランプ(５)の消費電力を抑えることができる。
【発明を実施するための最良の形態】
【０００７】
以下、本発明の一形態を図を用いて、詳述する。
図１は、本例に係わる電子機器、具体的には携帯電話機の斜視図である。複数の操作釦(３)(３)を具えた第１キャビネット(１)は、液晶パネル(20)を具えた第２キャビネット(２)にヒンジ(21)接続され、折り畳み可能に形成されている。第１キャビネット(１)は、上キャビネット半体(10)に下キャビネット半体(11)を合わせて構成され、操作釦(３)(３)は上キャビネット半体(10)から突出している。
複数の操作釦(３)(３)の中で、図１にＳで示す操作釦(３)はハンズフリー、即ち手放しで通話するときに操作する釦であり、該釦(３)を他の操作釦(３)(３)に比して、目立たせている。勿論、他の操作釦(３)を目立たせてもよい。
【０００８】
図２は、上キャビネット半体(10)の平面図である。上キャビネット半体(10)には操作釦(３)が嵌まる開口(12)が設けられ、上キャビネット半体(10)の裏面にて、目立たせるべき操作釦(３)が嵌まる開口(12)の隅部には、凹部(４)(４)が設けられている。幾つかの凹部(４)(４)内には、ＬＥＤであるランプ(５)(５)が配備され、後記の如く、凹部(４)はランプ(５)からの光が操作釦(３)の側面に到達することを許す。
【０００９】
図３は、上キャビネット半体(10)を表裏逆にして、目立たせるべき操作釦(３)が嵌まる開口(12)を拡大して示す斜視図である。図４は、図３をＣ−Ｃ線を含む面にて破断した断面図である。
上キャビネット半体(10)の裏側にて、開口(12)の周縁部には段部(13)が形成され、前記凹部(４)は下端が段部(13)に繋がるテーパ状に形成されている。
操作釦(３)は、透明又は半透明な合成樹脂から形成され、開口(12)から突出する小面(30)と周縁部が段部(13)に接する大面(31)を一体に具えている。大面(31)の周縁部が段部(13)に接して、操作釦(３)は上キャビネット半体(10)から抜け出ることを防止される。
【００１０】
操作釦(３)は、透明又は半透明な取付けシート(６)上に設けられ、操作釦(３)の下面裏側にはミラー印刷(８)が施されている。従って、光は操作釦(３)の下面裏側を通過しにくい又は通過しない。
取付けシート(６)を挟んで操作釦(３)の反対側には、回路基板(７)が設けられている。回路基板(７)上には、操作スイッチ(SW)が設けられ、操作釦(３)を押し込むと、取付けシート(６)を介して操作スイッチ(SW)が押し込まれる。
回路基板(７)上にて、操作釦(３)の側方には、前記のランプ(５)(５)が配備され、一部のランプ(５)(５)は前記の如く、凹部(４)(４)内に配備される。
【００１１】
ランプ(５)(５)からの光は、凹部(４)を通って、操作釦(３)の側面に達する。操作釦(３)は側面にランプ(５)(５)の光を受けて明るくなり、ミラー印刷(８)された文字も明るく映し出される。
これにより、操作釦(３)の下面にミラー印刷(８)が施されて、操作釦(３)の下面が透光しにくくとも、照光効果を高めることができる。また、照光効果を高めることができるから、ランプ(５)の数を少なくしてコストダウンが図れ、且つランプ(５)の消費電力を抑えることができる。
尚、上記例では凹部(４)はテーパ状に形成されたとしたが、凹部(４)の形状はこれに限定されない。但し、凹部(４)を大きく形成すれば、上キャビネット半体(10)の強度が弱くなる虞れがある。
【００１２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
例えば、本例では電子機器として携帯電話機を例示したが、操作釦を点灯させるものであればよく、例えばＰＤＡ(personnal digital assistant)やテレビジョン受像機のリモコンであってもよい。
【図面の簡単な説明】
【００１３】
【図１】携帯電話機の斜視図である。
【図２】上キャビネット半体の平面図である。
【図３】上キャビネット半体を表裏逆にして、目立たせるべき操作釦が嵌まる開口を拡大して示す斜視図である。
【図４】図３をＣ−Ｃ線を含む面にて破断した断面図である。
【図５】携帯電話の一般的な構造を示す断面図である。
【図６】ミラー印刷を示す側面図である。
【符号の説明】
【００１４】
(１)  第１キャビネット
(３)  操作釦
(４)  凹部
(５)  ランプ
(８)  ミラー印刷
【図１】
2005259369.tif 000003
【図２】
2005259369.tif 000004
【図３】
2005259369.tif 000005
【図４】
2005259369.tif 000006
【図５】
2005259369.tif 000007
【図６】
2005259369.tif 000008